(57)【要約】【課題】ゴルフクラブのグリップのように、手袋装着状態で中指袋と薬指袋と小指袋の３つの指袋部分で強く握持する場合は、該３つの指袋における平側及び甲側の両方が離間不能に連続していることが好ましいが、従来の手袋では該３つの指袋における平側及び甲側の両方が離間不能に連続しているものはない。【解決手段】親指袋から小指袋までの５本の指袋２〜６をそれぞれ袋状に区画し、中指袋４と薬指袋５と小指袋６とを近接状態で配置し、且つ該３つの指袋の平側と甲側における何れか一方を一枚ものの材料片で連続させるとともに、他方の側縁部同士を縫合し、該３つの指袋における平側と甲側の両方を離間不能に連続させている。【選択図】　　　図３
2004081642.tif 000002
【特許請求の範囲】
【請求項１】
親指袋から小指袋までの５本の指袋（２〜６）がそれぞれ袋状に区画されている手袋において、
親指袋（２）と人差指袋（３）はそれぞれ他の指袋（４〜６）と独立している一方、
中指袋（４）と薬指袋（５）と小指袋（６）とを近接状態で配置し、且つ該３つの指袋（４〜６）の各指平部（４Ａ〜６Ａ）に１枚ものの材料片（１１Ａ）を使用して、該３つの指袋（４〜６）を平側において離間不能に連続させているとともに、
中指袋甲部（４Ｂ）の小指側側縁部（４Ｂｂ）と薬指袋甲部（５Ｂ）の親指側側縁部（５Ｂａ）、及び薬指袋甲部（５Ｂ）の小指側側縁部（５Ｂｂ）と小指袋甲部（６Ｂ）の親指側側縁部（６Ｂａ）をそれぞれ離間不能に縫合している、
ことを特徴とするグリップ握持用手袋。
【請求項２】
請求項１において、
中指甲材（４２）に中指袋小指側側面材（４４）を継目なしに連続させ、薬指甲材（５２）に薬指袋親指側側面材（５３）と薬指袋小指側側面材（５４）とをそれぞれ継目なしに連続させ、小指甲材（６２）に小指袋親指側側面材（６３）を継目なしに連続させている、
ことを特徴とするグリップ握持用手袋。
【請求項３】
親指袋から小指袋までの５本の指袋（２〜６）がそれぞれ袋状に区画されている手袋において、
親指袋（２）と人差指袋（３）はそれぞれ他の指袋（４〜６）と独立している一方、
中指袋（４）と薬指袋（５）と小指袋（６）とを近接状態で配置し、且つ該３つの指袋（４〜６）の各指甲部（４Ｂ〜６Ｂ）に１枚ものの材料片（１２Ａ）を使用して、該３つの指袋（４〜６）を甲側において離間不能に連続させているとともに、
中指袋平部（４Ａ）の小指側側縁部（４Ａｂ）と薬指袋平部（５Ａ）の親指側側縁部（５Ａａ）、及び薬指袋平部（５Ａ）の小指側側縁部（５Ａｂ）と小指袋平部（６Ａ）の親指側側縁部（６Ａａ）をそれぞれ離間不能に縫合している、
ことを特徴とするグリップ握持用手袋。
【請求項４】
請求項３において、
中指平材（４１）に中指袋小指側側面材（４４）を継目なしに連続させ、薬指平材（５１）に薬指袋親指側側面材（５３）と薬指袋小指側側面材（５４）とをそれぞれ継目なしに連続させ、小指平材（６１）に小指袋親指側側面材（６３）を継目なしに連続させている、
ことを特徴とするグリップ握持用手袋。
【発明の詳細な説明】
【０００１】
【発明の属する技術分野】
本願発明は、５本の指袋がそれぞれ袋状に区画されている手袋に関し、さらに詳しくはゴルフクラブや野球バットあるいはテニスラケット等のグリップを握持するのに適したグリップ握持用手袋に関するものである。
【０００２】
【従来の技術及び発明が解決しようとする課題】
例えば図９に示すように、手袋を装着してゴルフクラブのグリップＧを握持する際には、特に中指（中指袋４）と薬指（薬指袋５）と小指（小指袋６）との３本の指で強く握り、親指（親指袋２）と人差指（人差指袋３）は、グリップＧに対して添える程度で比較的軽く握ることが多い。そのとき、中指と薬指と小指の３本の指（指袋）は相互に近接（特に密着）させた方が、グリップＧに対する握持力を強くできるとともに、グリップＧを安定よく握持できる。尚、この種のグリップ握持用手袋としては、ゴルフ用手袋のほかに、野球バットを握るバッティング用手袋やテニスラケットのグリップを握るテニス用手袋等がある。
【０００３】
この種のグリップ握持用手袋としては、親指袋から小指袋までの５本の指袋（図９の符号２〜６）をそれぞれ袋状に区画したものの方が、それぞれの指に対してフイット感が強く、且つ各指に対して各指袋の生地が位置ずれしにくくなる。又、このように、各指にそれぞれ指袋がフイットしていると、手袋を装着してグリップＧを握持したときに該グリップＧをしっかりと握れる。
【０００４】
ところで、手袋を装着してゴルフクラブ等のグリップＧを握持するときには、上記のように中指（中指袋４）と薬指（薬指袋５）と小指（小指袋６）との３本の指（指袋）を相互に近接（特に密着）させる方が握持力や安定性の点で好ましいが、従来のグリップ握持用手袋（例えば図９のゴルフ用手袋）では、各指袋（２〜６）をそれぞれ独立して自由に動かせるようになっている。
【０００５】
ところが、このように中指袋４と薬指袋５と小指袋６とをそれぞれ独立して動かせるグリップ握持用手袋では、該手袋を装着してグリップを握るときに、中指と薬指と小指とが左右に離間したり、あるいは該３つの指のグリップ握持状態が毎回一定しなかったりすることがある。又、この手袋を装着してグリップＧを適正状態で握持した場合でも、ゴルフクラブ（又は野球バット、テニスラケット）をスイングしたときに、３つの指（中指、薬指、小指）の握持状態が各指ごとに変化（例えば各指が離間又は位置ずれ）し易くなる。従って、このように、中指袋４と薬指袋５と小指袋６とがそれぞれ独立している手袋を装着してグリップを握った場合は、該３つの指袋が離間して、グリップに対する握持力が弱くなったり、スイングが微妙に狂ったりすることがあり、プレーに悪影響を及ぼすおそれがあった。特に、ゴルフ競技ではグリップの握り方によってゴルフボールの飛距離に差が出たり飛行方向が狂うことがあるが、グリップの正しい握り方を十分に習得していないゴルフ初心者にとっては、上記３つの指（中指、薬指、小指）を常に適正状態に揃えてグリップを握ることはかなり難しい。又、図９に示す従来のグリップ握持用手袋では、中指袋４と薬指袋５と小指袋６がそれぞれ独立しているので、グリップの握持状態あるいはスイング時において、該各指袋がそこに差し込んでいる指に対して捩れ易くなるという問題もある。
【０００６】
本件出願人は、上記のような問題点を改善するために、図１０〜図１２に示すグリップ握持用手袋を既に提案している（特開２００２−１５９６１１号公報）。この公知の手袋１では、図１０及び図１２に示すように、中指袋４と薬指袋５と小指袋６との３つの指袋における各指平材（４１，５１，６１）を１枚ものの材料片１１Ａで連続させている。尚、この材料片１１Ａは、手平材１１に一体裁断されている。
【０００７】
ところで、図１０〜図１２に示す公知例の手袋１では、中指袋４と薬指袋５と小指袋６とが各指平側において離間不能であるが、各指甲側は若干ではあるが左右に開くことができるようになっている。そのため、この公知例の手袋１では、中指袋４と薬指袋５と小指袋６の各甲側を連結するための連結バンド１９（面ファスナー式）を取付けている。そして、この手袋１は、装着時には連結バンド１９を外側に開いた状態で手を挿入し、装着後に連結バンド１９を甲面側に被せて中指袋４、薬指袋５、小指袋６の各甲面を連結して使用する。
【０００８】
ところが、図１０〜図１２に示す公知例の手袋１では、連結バンド１９により上記３つの指袋（４〜６）の各甲面を連結することができるが、手袋１を着脱するたびに連結バンド１９を開閉操作しなければならないので、その開閉操作が面倒であり、且つ装着して指を曲げるときに連結バンド１９が曲げ抵抗になり（曲げにくい）、さらに外観面（意匠面）でスッキリしない、という改善すべき点があった。尚、この公知例（（特開２００２−１５９６１１号公報）のものには、別の実施形態として中指袋と薬指袋と小指袋における各指甲材を１枚ものの材料片で連続させたものも開示されているが、その場合には該３つの指袋における各指平側が分離している。
【０００９】
本願発明は、上記した各問題点に鑑み、中指袋と薬指袋と小指袋における平部及び甲部の両方を強力に連結し得るようにしたグリップ握持用手袋を提供することを目的としている。
【００１０】
【課題を解決するための手段】
本願発明は、上記課題を解決するための手段として次の構成を有している。尚、本願発明は、例えばゴルフクラブや野球のバットあるいはテニスラケット等のグリップを握持する際に適したグリップ握持用手袋を対象にしている。
【００１１】
本願請求項１の発明
本願請求項１の発明のグリップ握持用手袋では、親指袋から小指袋までの５本の指袋がそれぞれ袋状に区画されている。尚、ゴルフ用やバッティング用あるいはテニス用の手袋では、皮革や合成皮革のような柔軟で比較的薄手の生地が使用される。
【００１２】
そして、本願のグリップ握持用手袋では、それぞれの指が１本ごとに袋状に区画された各指袋に差し込まれるので、その装着状態では各指袋がそれぞれの指にフィットするようになる。
【００１３】
又、本願請求項１の手袋では、親指袋と人差指袋とをそれぞれ他の指袋と独立させている一方、中指袋と薬指袋と小指袋とを近接状態で配置し、且つ該３つの指袋の各指平部に１枚ものの材料片を使用して、該３つの指袋（中指袋と薬指袋と小指袋）を平側において離間不能に連続させている。
【００１４】
さらに、本願請求項１の手袋では、中指袋甲部の小指側側縁部と薬指袋甲部の親指側側縁部、及び薬指袋甲部の小指側側縁部と小指袋甲部の親指側側縁部をそれぞれ離間不能に縫合している。この縫合は、縫合すべき各指袋の側縁部をそれぞれ微小幅づつ外面側に摘まみ出して、その摘まみ出し部分同士をミシン縫いするとよい。
【００１５】
このように、中指袋と薬指袋と小指袋とを指平側と指甲側の両方でそれぞれ離間不能に連続させていると、該３つの指袋が相互に離間したり捩れたりすることがない。従って、この手袋を装着したときに、中指と薬指と小指とがガッチリと位置決めされ、この手袋を装着してグリップを握るときに、グリップを自然に適正状態で握持することができ、且つ毎回同じ状態で握持できる。
【００１６】
又、このように中指袋と薬指袋と小指袋の各指平部を１枚ものの材料片で連続させていると、該３つの指袋における各平側が一連の平面状態になり、この手袋を装着してグリップを握ったときに違和感（縫い目によるゴツゴツ感）が軽減される。
【００１７】
本願請求項２の発明
本願請求項２の発明では、上記請求項１のグリップ握持用手袋において、中指甲材に中指袋小指側側面材を継目なしに連続させ、薬指甲材に薬指袋親指側側面材と薬指袋小指側側面材とをそれぞれ継目なしに連続させ、小指甲材に小指袋親指側側面材を継目なしに連続させている。尚、上記各側面材は、各指甲材と１枚ものの材料片で一体裁断されている。
【００１８】
このようにすると、中指袋と薬指袋との間、及び薬指袋と小指袋の間には、別部材からなるマチ材が不要になる。又、このように中指甲材、薬指甲材、小指甲材にそれぞれ上記の各側面材を継目なしに連続させると、上記請求項１のように中指袋甲部の小指側側縁部と薬指袋甲部の親指側側縁部、及び薬指袋甲部の小指側側縁部と小指袋甲部の親指側側縁部をそれぞれ縫合する際に、それぞれ継目なしの生地同士を縫合すればよく、各指袋の甲部同士の縫合部（ミシン目）が１本づつしか形成されない。
【００１９】
本願請求項３の発明
本願請求項３の発明は、上記請求項１のグリップ握持用手袋と同様に、親指袋から小指袋までの５本の指袋がそれぞれ袋状に区画され、且つ親指袋と人差指袋はそれぞれ他の指袋と独立させた手袋を対象にしている。
【００２０】
そして、この請求項３のグリップ握持用手袋では、中指袋と薬指袋と小指袋とを近接状態で配置し、該３つの指袋の各指甲部に１枚ものの材料片を使用して、該３つの指袋を甲側において離間不能に連続させているとともに、中指袋平部の小指側側縁部と薬指袋平部の親指側側縁部、及び薬指袋平部の小指側側縁部と小指袋平部の親指側側縁部をそれぞれ離間不能に縫合している。
【００２１】
尚、この請求項３の手袋は、中指袋と薬指袋と小指袋とを離間不能に連続させるのに、上記請求項１の場合とは逆に、該３つの指袋の各指甲部を１枚ものの材料片で連続させ、各指平部側において各側縁部同士を縫合したものである。
【００２２】
そして、この請求項３の手袋でも、中指袋と薬指袋と小指袋とが指平側及び指甲側の両方でそれぞれ離間不能に連続しており、該３つの指袋が相互に離間したり捩れたりすることがない。従って、この手袋を装着したときに、中指と薬指と小指とがガッチリと位置決めされ、この手袋を装着してグリップを握るときに、グリップを自然に適正状態で握持することができ、且つ毎回同じ状態で握持できる。
【００２３】
本願請求項４の発明
本願請求項４の発明では、上記請求項３のグリップ握持用手袋において、中指平材に中指袋小指側側面材を継目なしに連続させ、薬指平材に薬指袋親指側側面材と薬指袋小指側側面材とをそれぞれ継目なしに連続させ、小指平材に小指袋親指側側面材を継目なしに連続させている。尚、上記各側面材は、各指平材と１枚ものの材料片で一体裁断されている。
【００２４】
このようにすると、上記請求項２の手袋と同様に、中指袋と薬指袋との間、及び薬指袋と小指袋の間には、別部材からなるマチ材が不要になる。又、中指平材、薬指平材、小指平材にそれぞれ上記の各側面材を継目なしに連続させると、上記請求項３のように中指袋平部の小指側側縁部と薬指袋平部の親指側側縁部、及び薬指袋平部の小指側側縁部と小指袋平部の親指側側縁部をそれぞれ縫合する際に、それぞれ継目なしの生地同士を縫合すればよく、各指袋の平部同士の縫合部（ミシン目）が１本づつしか形成されない。
【００２５】
【発明の実施の形態】
図１〜図８を参照して本願実施形態のグリップ握持用手袋を説明すると、図１〜図４には第１実施形態（本願請求項１および２に対応する）が示され、図５〜図８には第２実施形態（本願請求項３及び４に対応する）が示されている。尚、これらの実施形態では、グリップ握持用手袋１としてゴルフ用手袋が採用されているが、本願ではグリップ握持用手袋として野球のバッティング用手袋やテニス用手袋にも適用できる。
【００２６】
第１実施形態
図１〜図４に示す第１実施形態のグリップ握持用手袋（ゴルフ用手袋）１は、皮革や合成皮革等の柔軟な材料からなる複数枚のパーツを縫合して成形されている。即ち、第１実施形態の手袋１では、手平材１１と、手甲材１２と、親指袋材１３と、中指袋４用の側面連続甲材１４と、薬指袋５用の側面連続甲材１５と、１枚のマチ材１７と、手首締付バンド１８とを基本部材として縫製されている。尚、図４には、親指袋材１３と手首締付バンド１８は、図示省略している。
【００２７】
手平材１１には、図１、図３及び図４に示すように、中指平材４１と薬指平材５１と小指平材６１とがそれらの各側縁部同士を連続させた状態で一体裁断されている。即ち、この手平材１１には、人差指平材３１は隣接する指平材（中指平材４１）とは分離して裁断されているが、中指平材４１と薬指平材５１と小指平材６１とは一枚ものの材料片１１Ａで連続させている。
【００２８】
手甲材１２には、図１及び図４に示すように、人差指甲材３２と小指甲材６２とが一体裁断されている。小指甲材６２には、小指袋６における親指側側面材６３が継目なしに一体裁断されている。尚、中指甲材４２と薬指甲材５２は、それぞれ手甲材１２とは別体に裁断されている。
【００２９】
中指袋４の甲材４２は、図３及び図４に示すように側面連続甲材１４として別体に裁断されている。即ち、この中指袋４用の側面連続甲材１４は、中指甲材４２に中指袋小指側側面材４４を継目なしに（１枚ものの材料片で）一体裁断している。
【００３０】
薬指袋５の甲材５２は、図３及び図４に示すように側面連続甲材１５として別体に裁断されている。即ち、この薬指袋５用の側面連続甲材１５は、薬指甲材５２に薬指袋親指側側面材５３と薬指袋小指側側面材５４とを継目なしに（１枚ものの材料片で）一体裁断している。
【００３１】
尚、図４において、中指袋小指側側面材４４、薬指袋親指側側面材５３、薬指袋小指側側面材５４、小指袋親指側側面材６３は、縫製時にそれぞれ２点鎖線部分（符号Ｋ）で下側に折り曲げられる（山折りされる）。
【００３２】
マチ材１７は、人差指袋３における小指側側面材と中指袋４における親指側側面材になるものである。尚、親指袋材１３及び手首締付バンド１８は、従来から一般に使用されている形状のものが採用されている。
【００３３】
そして、この第１実施形態では、図１〜図３に示すように、手平材１１、手甲材１２、親指袋材１３、中指袋４用の側面連続甲材１４、薬指袋５用の側面連続甲材１５、マチ材１７、手首締付バンド１８等の各材料を所定の方法で縫合して、５本の指袋２〜６をそれぞれ袋状に区画し、且つ中指袋４と薬指袋５と小指袋６とを順次近接させた状態で手袋１に縫製している。このとき、図３に示すように、中指袋４用の側面連続甲材１４の中指袋小指側側面材４４、薬指袋５用の側面連続甲材１５の薬指袋親指側側面材５３及び薬指袋小指側側面材５４、小指袋６用の小指袋親指側側面材６３は、それぞれ各指甲材４２，５２，６２（１枚ものの材料片１１Ａ）に対して山折りして、それらの側面材４４，５３，５４，６３の端縁をそれぞれ中指平材４１、薬指平材５１、小指平材６１にミシン糸で縫合している（図１、図３の縫合部Ｍ）。尚、中指甲材４２の基端部４２ａ及び薬指甲材５２の基端部５２ａも、手甲材１２の適所に縫合される（図２の縫合部Ｐ）。
【００３４】
又、この第１実施形態の手袋１では、図２及び図３に示すように、中指袋４の甲部４Ｂの小指側側縁部４Ｂｂと薬指袋５の甲部５Ｂの親指側側縁部５Ｂａ、及び薬指袋５の甲部５Ｂの小指側側縁部５Ｂｂと小指袋６の甲部６Ｂの親指側側縁部６Ｂａをそれぞれミシン糸で離間不能に縫合している（縫合部Ｎ）。
【００３５】
この各指袋甲部（４Ｂ，５Ｂ，６Ｂ）の側縁部同士の縫合は、図４における符号Ｋ部分をそれぞれ微小幅づつ外面側に摘まみ出して、その摘まみ出し部分同士（図３の４Ｂｂと５Ｂａ、５Ｂｂと６Ｂａ）をミシン縫いしている。
【００３６】
ところで、図９に示すようにゴルフクラブのグリップＧ（野球バットやテニスラケットのグリップでも同様）を握る際には、一般に、中指と薬指と小指の３つの指で強く握り、親指と人差指は添える程度で軽く握ることが多いが、図１〜図４に示す第１実施形態の手袋１では、次のような機能を有する。
【００３７】
まず、この手袋１では、親指袋２から小指袋６までの５本の指袋がそれぞれ袋状に区画されているので、手袋装着状態において、各指袋２〜６に差し込んだ各指の周囲全体に指袋の内面が密着し、手袋全体のフィット感が良好となる。
【００３８】
又、この手袋１では、中指平材４１と薬指平材５１と小指平材６１とが１枚ものの材料片１１Ａで連続されており、且つ中指袋４と薬指袋５と小指袋６の各甲部４Ｂ，５Ｂ，６Ｂが順次縫合（縫合部Ｎ）されているので、該３つの指袋４，５，６が指平側と指甲側の両方でそれぞれ連続している。従って、該３つの指袋４，５，６が強固に一体化されており、この手袋１を装着した状態では、該３つの指袋４，５，６に差し込んだ各指（中指と薬指と小指）が近接状態のままでガッチリと位置決めされる。そして、この手袋１を装着してグリップを握ると、例えばゴルフの初心者であってもグリップを自然に適正状態で握持することができ、しかも毎回同じ状態でグリップを握持できる。尚、このように、中指と薬指と小指の３つの指が近接状態のままでグリップを握ると、その握持力を強くでき、ゴルフボールの飛距離を延ばすことができるとともにスイングが安定する。
【００３９】
又、この第１実施形態のように、中指袋４と薬指袋５と小指袋６の各指平材同士を１枚ものの材料片１１Ａで連続させていると、該３つの指袋４〜６における各平側が一連の平面状態になり、この手袋１を装着してグリップを握ったときに違和感（縫い目によるゴツゴツ感）が少なくなる。
【００４０】
又、グリップを握持するときには、通常、グリップを絞り込むようにして握持するが、このように中指袋４と薬指袋５と小指袋６とが平側と甲側の両方で連続していると、グリップを握持したときでも、該各指袋４〜６が捩れることがなく、常に良好な状態で握持できる。
【００４１】
又、この第１実施形態のように、中指甲材４２、薬指甲材５２、小指甲材６２にそれぞれ上記の各側面材（４４，５３，５４，６３）を継目なしに連続させると、中指袋４と薬指袋５との間、及び薬指袋５と小指袋６の間には、別部材からなるマチ材が不要になる。又、中指袋甲部４Ｂの小指側側縁部４Ｂｂと薬指袋甲部５Ｂの親指側側縁部５Ｂａ、及び薬指袋甲部５Ｂの小指側側縁部５Ｂｂと小指袋甲部６Ｂの親指側側縁部６Ｂａをそれぞれ縫合する際に、それぞれ継目なしの生地同士を縫合すればよいので、各指袋の甲部同士の縫合部Ｎにミシン目が１本づつしか形成されない。従って、該３つの指袋（４〜６）の甲部側縁同士を縫合したものであっても、違和感（縫い目によるゴツゴツ感）が少なくなる。
【００４２】
第２実施形態
図５〜図８に示す第２実施形態のグリップ握持用手袋１では、第１実施形態とは逆に、中指袋４と薬指袋５と小指袋６における各指甲材４２，５２，６２に１枚ものの材料片１２Ａを使用して、該３つの指袋４，５，６の各甲側を離間不能に連続させているとともに、該３つの指袋４，５，６の各指平部４Ａ，５Ａ，６Ａの側縁部同士（４Ａｂと５Ａａ、５Ａｂと６Ａａ）をそれぞれ縫合して、該３つの指袋４，５，６の各平側を離間不能に連続させている。
【００４３】
この第２実施形態では、図８に示す各パーツ（図８には親指袋材１３と手首締付バンド１８とを省略している）を使用して、各指袋２〜６がそれぞれ袋状に区画された手袋１に縫製されている。
【００４４】
手平材１１には、図５及び図８に示すように、人差指平材３１と小指平材６１とが一体裁断されている。小指平材６１には、小指袋６における親指側側面材６３が継目なしに一体裁断されている。尚、中指平材４１と薬指平材５１は、それぞれ手平材１１とは別体に裁断されている。
【００４５】
手甲材１２には、図６〜図８に示すように、中指甲材４２と薬指甲材５２と小指甲材６２とがそれらの各側縁部同士を連続させた状態で一体裁断されている。即ち、この手甲材１２には、人差指甲材３２は隣接する指甲材（中指甲材４２）とは分離して裁断されているが、中指甲材４２と薬指甲材５２と小指甲材６２とは１枚ものの材料片１２Ａで連続させている。
【００４６】
中指袋４の平材４１は、図８に示すように側面連続平材２４として別体に裁断されている。即ち、この中指袋４用の側面連続平材２４は、中指平材４１に中指袋小指側側面材４４を継目なしに（１枚ものの材料片で）一体裁断している。
【００４７】
薬指袋５の平材５１は、図８に示すように側面連続甲材２５として別体に裁断されている。即ち、この薬指袋５用の側面連続甲材２５は、薬指平材５１に薬指袋親指側側面材５３と薬指袋小指側側面材５４とを継目なしに（１枚ものの材料片で）一体裁断している。
【００４８】
尚、図８において、中指袋小指側側面材４４、薬指袋親指側側面材５３、薬指袋小指側側面材５４、小指袋親指側側面材６３は、縫製時にそれぞれ２点鎖線部分（符号Ｌ）で上側に折り曲げられる（谷折りされる）。
【００４９】
マチ材１７は、人差指袋３における小指側側面材と中指袋４における親指側側面材になるものである。
【００５０】
そして、この第２実施形態では、図５〜図７に示すように、手平材１１、手甲材１２、親指袋材１３、中指袋４用の側面連続平材２４、薬指袋５用の側面連続平材２５、マチ材１７、手首締付バンド１８等の各材料を所定の方法で縫合して、５本の指袋２〜６をそれぞれ袋状に区画し、且つ中指袋４と薬指袋５と小指袋６とを順次近接させた状態で手袋１に縫製している。このとき、図７に示すように、中指袋４用の側面連続平材２４の中指袋小指側側面材４４、薬指袋５用の側面連続平材２５の薬指袋親指側側面材５３及び薬指袋小指側側面材５４、小指袋６用の小指袋親指側側面材６３は、それぞれ各指平材４１，５２，６１に対して谷折りして、それらの側面材４４，５３，５４，６３の端縁をそれぞれ中指甲材４１、薬指甲材５２、小指甲材６２にミシン糸で縫合している（図６、図７の縫合部Ｍ）。尚、中指平材４１の基端部４１ａ及び薬指平材５１の基端部５１ａも、手平材１１の適所に縫合される（図５の縫合部Ｑ）。
【００５１】
又、この第２実施形態の手袋１では、図５及び図７に示すように、中指袋４の平部４Ａの小指側側縁部４Ａｂと薬指袋５の平部５Ａの親指側側縁部５Ａａ、及び薬指袋５の平部５Ａの小指側側縁部５Ａｂと小指袋６の平部６Ａの親指側側縁部６Ａａをそれぞれミシン糸で離間不能に縫合している（縫合部Ｎ）。
【００５２】
この各指袋平部（４Ａ，５Ａ，６Ａ）の側縁部同士の縫合は、図８における符号Ｌ部分をそれぞれ微小幅づつ外面側に摘まみ出して、その摘まみ出し部分同士（図７の４Ａｂと５Ａａ、５Ａｂと６Ａａ）をミシン縫いしている。
【００５３】
この第２実施形態の手袋１でも、中指袋４と薬指袋５と小指袋６とが、平側と甲側の両方でそれぞれ離間不能に連続しているので、該３つの指袋４〜６内に差し込まれる各指（中指と薬指と小指）も近接した状態のままでガッチリと位置決めされる。従って、この手袋１を装着してグリップを握持したときに、該３つの指（中指と薬指と小指）が近接状態のままで離間することがなく、適正な状態でグリップを握持できる。
【００５４】
又、この第２実施形態のものでは、中指平材４１、薬指平材５１、小指平材６１にそれぞれ上記の各側面材（４４，５３，５４，６３）を継目なしに連続させているので、中指袋４と薬指袋５との間、及び薬指袋５と小指袋６の間には、別部材からなるマチ材が不要になる。又、中指袋平部４Ａの小指側側縁部４Ａｂと薬指袋平部５Ａの親指側側縁部５Ａａ、及び薬指袋平部５Ａの小指側側縁部５Ａｂと小指袋平部６Ａの親指側側縁部６Ａａをそれぞれ縫合する際に、それぞれ継目なしの生地同士を縫合すればよいので、各指袋の平部同士の縫合部Ｎにミシン目が１本づつしか形成されない。従って、該３つの指袋（４〜６）の平部側縁同士を縫合したものであっても、違和感（縫い目によるゴツゴツ感）が少なくなる。
【００５５】
【発明の効果】
本願発明のグリップ握持用手袋は、次のような効果がある。
【００５６】
本願請求項１の発明の効果
本願請求項１の発明は、親指袋から小指袋までの５本の指袋（２〜６）をそれぞれ袋状に区画しているグリップ握持用手袋において、中指袋４と薬指袋５と小指袋６の各指平部に１枚ものの材料片１１Ａを使用し、該３つの指袋４〜６の各甲部の側縁部同士を縫合しているので、該３つの指袋４〜６が平側及び甲側の両方でそれぞれ離間不能に連続している。
【００５７】
従って、中指袋４と薬指袋５と小指袋６が平側及び甲側の両方とも左右に開くことがなく、この手袋を装着した状態では、該３つの指袋４〜６にそれぞれ差し込まれた中指と薬指と小指が近接状態のままでガッチリと位置決めされるという効果がある。
【００５８】
尚、このように中指と薬指と小指が近接状態のままでガッチリと位置決めされると、グリップを自然に適正状態（該３つの指を近接させた状態）で握持することができ、例えばゴルフクラブにおいては初心者であってもグリップを毎回同じ状態で正確に握持することができる。
【００５９】
又、手袋装着状態において、中指と薬指と小指とが平側と甲側の両方で離間不能に維持されると、例えばゴルフクラブをスイングしたときでも該３つの指（中指と薬指と小指）が離間することがなく、強い握持力を維持した状態でスイングすることができる。尚、握持力の強い状態でスイングすると、ゴルフボールの飛距離を延ばすとともに飛行方向の安定性をよくすることが期待できる。
【００６０】
又、本願請求項１の手袋１では、中指袋４と薬指袋５と小指袋６の各指平材（４１，５１，６１）に１枚ものの材料片１１Ａを使用しているので、該３つの指袋４〜６における各平側が一連の平面状態になり且つ材料端縁同士の縫合部分のボリュームが小さくなって、該３つの指袋４〜６部分でグリップを握ったときに違和感（ゴツゴツ感）が軽減される。
【００６１】
本願請求項２の発明の効果
本願請求項２の発明では、上記請求項１のグリップ握持用手袋において、中指袋４と薬指袋５と小指袋６における各甲材（４２，５２，６２）に指袋の側面材（４４，５３，５４，６３）を継目なしに連続させているので、該３つの指袋４〜６の各甲部の側縁部同士を縫合させたときに、その縫合部Ｎにミシン目が１本づつしか形成されない。
【００６２】
従って、この請求項２の手袋では、請求項１の効果に加えて、該３つの指袋（４〜６）の甲部側縁同士を縫合したものであっても、違和感（縫い目によるゴツゴツ感）が少なくなるという効果がある。
【００６３】
本願請求項３の発明の効果
本願請求項３の発明は、上記請求項１の手袋とは逆に、中指袋４と薬指袋５と小指袋６の各指甲部に１枚ものの材料片１２Ａを使用し、該３つの指袋４〜６の各平部の側縁部同士を縫合しているが、この請求項３のものでも、該３つの指袋４〜６が平側及び甲側の両方でそれぞれ離間不能に連続している。
【００６４】
従って、中指袋４と薬指袋５と小指袋６が平側及び甲側の両方とも左右に開くことがなく、この手袋を装着した状態では、該３つの指袋４〜６にそれぞれ差し込まれた中指と薬指と小指が近接状態のままでガッチリと位置決めされるという効果がある。
【００６５】
本願請求項４の発明の効果
本願請求項４の発明では、上記請求項３のグリップ握持用手袋において、中指袋４と薬指袋５と小指袋６における各平材（４１，５１，６１）に指袋の側面材（４４，５３，５４，６３）を継目なしに連続させているので、該３つの指袋４〜６の各平部の側縁部同士を縫合させたときに、その縫合部Ｎにミシン目が１本づつしか形成されない。
【００６６】
従って、この請求項４の手袋では、上記請求項３の効果に加えて、該３つの指袋（４〜６）の平部側縁同士を縫合したものであっても、違和感（縫い目によるゴツゴツ感）が少なくなるという効果がある。
【図面の簡単な説明】
【図１】本願第１実施形態のグリップ握持用手袋の平側から見た平面図である。
【図２】図１のグリップ握持用手袋の甲側から見た平面図である。
【図３】図２のＩＩＩ−ＩＩＩ拡大断面図である。
【図４】図１のグリップ握持用手袋における各パーツの形状図である。
【図５】本願第２実施形態のグリップ握持用手袋の平側から見た平面図である。
【図６】図５のグリップ握持用手袋の甲側から見た平面図である。
【図７】図６のＶＩＩ−ＶＩＩ拡大断面図である。
【図８】図５のグリップ握持用手袋における各パーツの形状図である。
【図９】従来の手袋を装着してグリップを握持したときの斜視図である。
【図１０】公知のグリップ握持用手袋の平側から見た平面図である。
【図１１】図１０のグリップ握持用手袋の甲側から見た平面図である。
【図１２】図１１のＸＩＩ−ＸＩＩ拡大断面図である。
【符号の説明】
１は手袋、２は親指袋、３は人差指袋、４は中指袋、４Ａは中指袋平部、４Ｂは中指袋甲部、５は薬指袋、５Ａは薬指袋平部、５Ｂは薬指袋甲部、６は小指袋、６Ａは小指袋平部、６Ｂは小指袋甲部、１１は手平材、１１Ａは材料片、１２は手甲材、１２Ａは材料片、４１は中指平材、４２は中指甲材、４４は側面材、５１は薬指平材、５２は薬指甲材、５３，５４は側面材、６１は小指平材、６２は小指甲材、６３は側面材である。
【図１】
2004081642.tif 000003
【図２】
2004081642.tif 000004
【図３】
2004081642.tif 000005
【図４】
2004081642.tif 000006
【図５】
2004081642.tif 000007
【図６】
2004081642.tif 000008
【図７】
2004081642.tif 000009
【図８】
2004081642.tif 000010
【図９】
2004081642.tif 000011
【図１０】
2004081642.tif 000012
【図１１】
2004081642.tif 000013
【図１２】
2004081642.tif 000014
【手続補正書】
【提出日】平成14年9月3日(2002.9.3)
【手続補正１】
【補正対象書類名】図面
【補正対象項目名】図１
【補正方法】変更
【補正の内容】
【図１】
2004081642.tif 000015
【手続補正２】
【補正対象書類名】図面
【補正対象項目名】図３
【補正方法】変更
【補正の内容】
【図３】
2004081642.tif 000016
【手続補正３】
【補正対象書類名】図面
【補正対象項目名】図６
【補正方法】変更
【補正の内容】
【図６】
2004081642.tif 000017
【手続補正４】
【補正対象書類名】図面
【補正対象項目名】図７
【補正方法】変更
【補正の内容】
【図７】
2004081642.tif 000018